(57)【特許請求の範囲】
【請求項１】
空気調和機と、移動端末とを有する空調制御システムであって、
前記移動端末は、
画像を撮影する撮影手段と、
前記撮影手段で撮影した画像の撮影時の環境情報を取得する環境情報取得手段と、
前記撮影手段で撮影した画像の画像データを、当該画像データにかかる画像の前記環境情報と関連付けて記憶可能な画像記憶手段と、
前記環境情報から、暖房運転、冷房運転、および、自動運転のいずれかの運転モード、設定温度、および、設定風量を、運転設定として決定する運転設定決定手段と、
前記運転設定を運転指示信号として前記空気調和機に送信可能な第１通信手段とを有しており、
前記空気調和機は、前記移動端末から送信された前記運転指示信号に基づいて空間の空気調和を行う制御手段を有することを特徴とする空調制御システム。
【請求項２】
前記環境情報を検出する第１センサをさらに備えており、
前記環境情報取得手段は、前記撮影手段により画像を撮影する時に、前記第１センサから前記環境情報を取得することを特徴とする請求項１に記載の空調制御システム。
【請求項３】
前記移動端末は、前記撮影手段で撮影した画像の撮影場所及び撮影時刻の少なくともいずれか一方の環境特定情報を取得する環境特定情報取得手段をさらに備えており、
前記環境情報取得手段は、環境特定情報取得手段により取得された前記環境特定情報に対応する環境情報を通信ネットワークを介して取得することを特徴とする請求項１に記載の空調制御システム。
【請求項４】
前記移動端末は、ユーザからの入力を受け付ける受付手段、及び前記受付手段からの信号に基づいて、前記画像記憶手段に記憶された前記画像データの中の１つを選択する選択手段をさらに備えており、
前記第１通信手段は、前記選択手段により選択された画像データの前記環境情報に対応する前記運転指示信号を前記空気調和機に送信することを特徴とする請求項１〜３のいずれか１項に記載の空調制御システム。
【請求項５】
前記移動端末は、前記画像記憶手段に記憶されている前記画像データにかかる画像を表示する画像表示手段をさらに備えており、
前記受付手段は、前記画像表示手段に表示された画像の中の１つを決定する指示を受け付け可能であることを特徴とする請求項４に記載の空調制御システム。
【請求項６】
前記移動端末は、前記選択手段によって選択された画像データに対応する前記環境情報に関するパラメータが所定範囲外である場合に、ユーザにその旨を報知する第１報知手段をさらに有していることを特徴とする請求項４又は５に記載の空調制御システム。
【請求項７】
前記第１通信手段は、前記選択手段によって選択された画像データに対応する環境情報に含まれるパラメータが所定範囲外である場合に、当該環境情報に対応する前記運転指示信号を前記空気調和機に送信しないことを特徴とする請求項４〜６のいずれか１項に記載の空調制御システム。
【請求項８】
空気調和が行われる前記空間の環境情報を検出する第２センサと、
前記選択手段によって選択された画像データに対応する前記環境情報に関するパラメータと、前記第２センサによって検出された前記環境情報に関するパラメータとを比較する比較手段とをさらに備えており、
前記移動端末は、前記比較手段による比較の結果、両者の差が所定値以内である場合に、ユーザにその旨を報知する第２報知手段をさらに有していることを特徴とする請求項４〜７のいずれか１項に記載の空調制御システム。
【請求項９】
前記移動端末は、別の移動端末に対して情報を送信可能な第２通信手段をさらに備えており、
前記第２通信手段は、前記画像記憶手段に記憶されている前記画像データを、当該画像データに対応する前記環境情報と共に別の移動端末に送信することを特徴とする請求項１〜８のいずれか１項に記載の空調制御システム。
【請求項１０】
空気調和機と、移動端末とを有する空調制御システムであって、
前記移動端末は、
位置情報を取得可能な位置取得部と時刻情報を取得可能な時刻取得部の少なくとも一方を有し、
温度、湿度及び風量のいずれかの環境情報を取得する環境情報取得手段と、
前記位置情報または前記時刻情報と前記環境情報とを関連付けて記憶可能な記憶手段と、
前記環境情報から、暖房運転、冷房運転、および、自動運転のいずれかの運転モード、設定温度、および、設定風量を、運転設定として決定する運転設定決定手段と、
を備え、
前記運転設定を運転指示信号として前記空気調和機に送信可能な第１通信手段を有しており、
前記空気調和機は、前記移動端末から送信された前記運転指示信号に基づいて空間の空気調和を行う制御手段を有することを特徴とする空調制御システム。
【請求項１１】
前記環境情報は、温度に関するパラメータを含んでいることを特徴する請求項１〜１０のいずれか１項に記載の空調制御システム。
【請求項１２】
前記環境情報は、湿度に関するパラメータを含んでいることを特徴する請求項１〜１１のいずれか１項に記載の空調制御システム。
【請求項１３】
前記環境情報は、風量に関するパラメータを含んでいることを特徴する請求項１〜１２のいずれか１項に記載の空調制御システム。 
【発明の詳細な説明】
【技術分野】
【０００１】
本発明は、空気調和機と移動端末とを有する空調制御システムに関する。
【背景技術】
【０００２】
空気調和機により空調制御を行う際には、温度、湿度、及び風量等の設定を行う必要がある。従来、温度や湿度の設定は数値で、風量の設定はあらかじめ定められた複数のレベル（例えば、大、中、小）の中から１つを選択することで行われる。
【先行技術文献】
【特許文献】
【０００３】
【特許文献１】特開２０１２−０４２１８６号公報
【発明の概要】
【発明が解決しようとする課題】
【０００４】
しかしながら、所望の温度、湿度が数値で表すとどの程度であるか、また所望の風量がどのレベルに対応するのかは分かりにくく、思い描く空調を再現することは困難である。
【０００５】
そこで、本発明の目的は、思い描く空調を容易に実現できる空調制御システムを提供することである。
【課題を解決するための手段】
【０００６】
第１の発明にかかる空調制御システムは、空気調和機と、移動端末とを有する空調制御システムであって、前記移動端末は、画像を撮影する撮影手段と、前記撮影手段で撮影した画像の撮影時の環境情報を取得する環境情報取得手段と、前記撮影手段で撮影した画像の画像データを、当該画像データにかかる画像の前記環境情報と関連付けて記憶可能な画像記憶手段と、前記環境情報から、暖房運転、冷房運転、および、自動運転のいずれかの運転モード、設定温度、および、設定風量を、運転設定として決定する運転設定決定手段と、前記運転設定を運転指示信号として前記空気調和機に送信可能な第１通信手段とを有しており、前記空気調和機は、前記移動端末から送信された前記運転指示信号に基づいて空間の空気調和を行う制御手段を有することを特徴とする。
【０００７】
この空調制御システムでは、画像の撮影時の環境情報に基づいて空気調和を行うことができる。したがって、撮影時に体験した環境を再現できるので、思い描く空調を確実に再現できる。
【０００８】
第２の発明にかかる空調制御システムは、第１の発明にかかる空調制御システムにおいて、前記環境情報を検出する第１センサをさらに備えており、前記環境情報取得手段は、前記撮影手段により画像を撮影する時に、前記第１センサから前記環境情報を取得することを特徴とする。
【０００９】
この空調制御システムでは、画像を撮影する時に第１センサにより検知された環境情報を取得し、その環境情報を画像記憶手段に記憶するので、撮影時の環境情報を確実に記憶できる。
【００１０】
第３の発明にかかる空調制御システムは、第１の発明にかかる空調制御システムにおいて、前記移動端末は、前記撮影手段で撮影した画像の撮影場所及び撮影時刻の少なくともいずれか一方の環境特定情報を取得する環境特定情報取得手段をさらに備えており、前記環境情報取得手段は、環境特定情報取得手段により取得された前記環境特定情報に対応する環境情報を通信ネットワークを介して取得することを特徴とする。
【００１１】
この空調制御システムでは、環境情報を検出するためのセンサを備えていなくても、環境特定情報に基づいて通信ネットワーク上から撮影時の環境情報を取得できる。
【００１２】
第４の発明にかかる空調制御システムは、第１−第３のいずれかの発明にかかる空調制御システムにおいて、前記移動端末は、ユーザからの入力を受け付ける受付手段、及び前記受付手段からの信号に基づいて、前記画像記憶手段に記憶された前記画像データの中の１つを選択する選択手段をさらに備えており、前記第１通信手段は、前記選択手段により選択された画像データの前記環境情報に対応する前記運転指示信号を前記空気調和機に送信することを特徴とする。
【００１３】
この空調制御システムでは、画像記憶手段に記憶されている画像データの中からユーザにより選択された画像データにかかる画像の撮影時の環境を再現できる。
【００１４】
第５の発明にかかる空調制御システムは、第４の発明にかかる空調制御システムにおいて、前記移動端末は、前記画像記憶手段に記憶されている前記画像データにかかる画像を表示する画像表示手段をさらに備えており、前記受付手段は、前記画像表示手段に表示された画像の中の１つを決定する指示を受け付け可能であることを特徴とする。
【００１５】
この空調制御システムでは、ユーザは、画像表示手段に表示された画像の中から、撮影時の環境の再現を望む画像を容易に選択できる。
【００１６】
第６の発明にかかる空調制御システムは、第４又は第５の発明にかかる空調制御システムにおいて、前記移動端末は、前記選択手段によって選択された画像データに対応する前記環境情報に関するパラメータが所定範囲外である場合に、ユーザにその旨を報知する第１報知手段をさらに有していることを特徴とする。
【００１７】
この空調制御システムでは、環境情報のパラメータが、空気調和機で再現することができない大きさである場合に、その旨をユーザに報知できる。
【００１８】
第７の発明にかかる空調制御システムは、第４−第６のいずれかの発明にかかる空調制御システムにおいて、前記第１通信手段は、前記選択手段によって選択された画像データに対応する環境情報に含まれるパラメータが所定範囲外である場合に、当該環境情報に対応する前記運転指示信号を前記空気調和機に送信しないことを特徴とする。
【００１９】
この空調制御システムでは、環境情報のパラメータが、空気調和機で再現することができない大きさである場合に、その環境情報に対応する運転指示信号を空気調和機に送信しないようにできる。
【００２０】
第８の発明にかかる空調制御システムは、第４−第７のいずれかの発明にかかる空調制御システムにおいて、空気調和が行われる前記空間の環境情報を検出する第２センサと、前記選択手段によって選択された画像データに対応する前記環境情報に関するパラメータと、前記第２センサによって検出された前記環境情報に関するパラメータとを比較する比較手段とをさらに備えており、前記移動端末は、前記比較手段による比較の結果、両者の差が所定値以内である場合に、ユーザにその旨を報知する第２報知手段をさらに有していることを特徴とする。
【００２１】
この空調制御システムでは、空調空間の環境情報に関するパラメータと、選択された画像データに対応する環境情報に関するパラメータとの差が小さく、空気調和の必要性が低い場合に、その旨をユーザに報知できる。
【００２２】
第９の発明にかかる空調制御システムは、第１−第８のいずれかの発明にかかる空調制御システムにおいて、前記移動端末は、別の移動端末に対して情報を送信可能な第２通信手段をさらに備えており、前記第２通信手段は、前記画像記憶手段に記憶されている前記画像データを、当該画像データに対応する前記環境情報と共に別の移動端末に送信することを特徴とする。  
この空調制御システムでは、撮影時の環境を別の移動端末の所有者と共有できる。
第１０の発明にかかる空調制御システムは、空気調和機と、移動端末とを有する空調制御システムであって、前記移動端末は、位置情報を取得可能な位置取得部と時刻情報を取得可能な時刻取得部の少なくとも一方を有し、温度、湿度及び風量のいずれかの環境情報を取得する環境情報取得手段と、前記位置情報または前記時刻情報と前記環境情報とを関連付けて記憶可能な記憶手段と、前記環境情報から、暖房運転、冷房運転、および、自動運転のいずれかの運転モード、設定温度、および、設定風量を、運転設定として決定する運転設定決定手段と、を備え、前記運転設定を運転指示信号として前記空気調和機に送信可能な第１通信手段を有しており、前記空気調和機は、前記移動端末から送信された前記運転指示信号に基づいて空間の空気調和を行う制御手段を有することを特徴とする。
第１１の発明にかかる空調制御システムは、第１−第１０のいずれかの発明にかかる空調制御システムにおいて、前記環境情報は、温度に関するパラメータを含んでいることを特徴する。
【００２３】
この空調制御システムでは、撮影時の温度を空調により再現できる。
【００２４】
第１２の発明にかかる空調制御システムは、第１−第１１のいずれかの発明にかかる空調制御システムにおいて、前記環境情報は、湿度に関するパラメータを含んでいることを特徴する。
【００２５】
この空調制御システムでは、撮影時の湿度を空調により再現できる。
【００２６】
第１３の発明にかかる空調制御システムは、第１−第１２のいずれかの発明にかかる空調制御システムにおいて、前記環境情報は、風量に関するパラメータを含んでいることを特徴する。
【００２７】
この空調制御システムでは、撮影時の風量を空調により再現できる。
【００２８】
【００２９】
【発明の効果】
【００３０】
以上の説明に述べたように、本発明によれば、以下の効果が得られる。
【００３１】
第１の発明では、画像の撮影時の環境情報に基づいて空気調和を行うことができる。したがって、撮影時に体験した環境を再現できるので、思い描く空調を確実に再現できる。
【００３２】
第２の発明では、画像を撮影する時に第１センサにより環境情報を取得し、その環境情報を画像記憶手段に記憶するので、撮影時の環境情報を確実に記憶できる。
【００３３】
第３の発明では、環境情報を検出するためのセンサを備えていなくても、環境特定情報に基づいて通信ネットワーク上から撮影時の環境情報を取得できる。
【００３４】
第４の発明では、画像記憶手段に記憶されている画像データの中からユーザにより選択された画像データにかかる画像の撮影時の環境を再現できる。
【００３５】
第５の発明では、ユーザは、画像表示手段に表示された画像の中から、撮影時の環境の再現を望む画像を容易に選択できる。
【００３６】
第６の発明では、環境情報のパラメータが、空気調和機で再現することができない大きさである場合に、その旨をユーザに報知できる。
【００３７】
第７の発明では、環境情報のパラメータが、空気調和機で再現することができない大きさである場合に、その環境情報に対応する運転指示信号を空気調和機に送信しないようにできる。
【００３８】
第８の発明では、空調空間の環境情報に関するパラメータと、選択された画像データに対応する環境情報に関するパラメータとの差が小さく、空気調和の必要性が低い場合に、その旨をユーザに報知できる。
【００３９】
第９の発明では、撮影時の環境を別の移動端末の所有者と共有できる。
第１１の発明では、撮影時の温度を空調により再現できる。
【００４０】
第１２の発明では、撮影時の湿度を空調により再現できる。
【００４１】
第１３の発明では、撮影時の風量を空調により再現できる。
【００４２】
【図面の簡単な説明】
【００４３】
【図１】本発明の実施形態にかかる空調制御システムを説明する模式図である。
【図２】図１の空気調和機の電気的構成を概略的に示すブロック図である。
【図３】図１の移動端末の電気的構成を概略的に示すブロック図である。
【図４】図３の画像記憶部に画像データと共に記憶されるメタデータの項目の一例を示す図である。
【図５】図１の移動端末のタッチパネルに表示される選択画面を示す図である。
【図６】運転モードの決定方法を説明するための図である。
【図７】設定温度及び設定湿度の決定方法を説明するための図である。
【図８】画像データの環境情報に含まれる温度及び湿度を設定温度及び設定湿度に変換する方法を説明するための図である。
【図９】画像データの環境情報に含まれる温度及び湿度を設定温度及び設定湿度に変換する方法を説明するための図であり、（ａ）は湿度が設定可能エリア外である場合、（ｂ）は温度及び湿度が設定可能エリア外である場合を示す。
【図１０】設定風量の決定方法を説明するための図である。
【図１１】図１の移動端末のタッチパネルに表示される指示入力画面を示す図である。
【図１２】図１１の指示入力画面を示す図であり、（ａ）は第１メッセージが表示されたもの、（ｂ）は第２メッセージが表示されたものある。
【図１３】図１の移動端末で行われる処理の一例を示すフローチャートである。
【発明を実施するための形態】
【００４４】
以下、本発明の実施形態にかかる空調制御システム１について、図面を参照しつつ説明する。
【００４５】
＜空調制御システム１の全体構成＞
図１に示すように、本実施形態の空調制御システム１は、空気調和機２と移動端末４とを、通信ネットワークを介して相互に通信可能とすることにより構築されている。通信ネットワークは、家庭内ネットワーク７、外部通信インターフェース８、及びインターネット９により構成される。
【００４６】
図２に示すように、空気調和機２は、空気調和運転の制御を行う制御部２１と、空気調和を行う空間の環境情報である温度及び湿度を検知する室内センサ２２ａと、室外の温度を検知する室外センサ２２ｂと、通信部２３とを備えている。通信部２３は、家庭内ネットワーク７を介して移動端末４と情報の通信を行う機能を有しており、移動端末４に情報を送信するとともに、移動端末４から送信された情報を受信できる。具体的には、通信部２３は、室内センサ２２ａで検知された温度及び湿度の環境情報、及び室外センサ２２ｂで検知された温度を移動端末４に送信し、後で詳述するように移動端末４から送信される運転指示信号を受信する。制御部２１は、移動端末４から送信された運転指示信号に基づいて、空間の空気調和を行う。
【００４７】
移動端末４は、例えばスマートフォンなどの液晶端末であって、図３に示すように、表示手段及びユーザからの入力を受け付ける受付手段の機能を兼ねるタッチパネル４１と、画像を撮影するためのカメラ４２と、現在の時刻を計時する計時部４３と、ＧＰＳ衛星からの電波を受信するＧＰＳ受信機４４と、家庭内ネットワーク７又はインターネット９に接続して情報の通信を行う機能を有する通信部４５と、制御部５とを備えている。また、移動端末４は、たとえばマイクロＵＳＢなどの接続端子を備えており、温度、湿度、及び風量を検知するセンサ６が接続されている。
【００４８】
制御部５には、移動端末４にかかる各種動作の制御プログラムやデータなどが格納されたＲＯＭ、移動端末４の各部の動作を制御する信号を生成するために各種演算を実行するＣＰＵ、各種設定やＣＰＵでの演算結果などのデータを一時保管するＲＡＭなどの部材が含まれている。これら各種部材およびソフトウェアによって、図３に示すように、環境情報取得部５１と、撮影時刻取得部５２、撮影位置取得部５３と、画像記憶部５４と、表示制御部５５と、選択部５６と、運転設定決定部５７と、比較部５８とが形成されている。制御部５は、タッチパネル４１、カメラ４２、計時部４３、ＧＰＳ受信機４４、通信部４５、及びセンサ６に接続されている。
【００４９】
環境情報取得部５１は、カメラ４２で撮影した画像の撮影時の環境情報を取得する。具体的には、カメラ４２により画像を撮影する時に、センサ６で検知された温度、湿度、及び風量の環境情報を取得する。なお、環境情報取得部５１は、センサ６を移動端末４に接続していない状態で画像が撮影された場合は、この画像の環境情報を撮影後にインターネット９を介して取得することができる。具体的には、後で詳述するように撮影時刻取得部５２で取得される撮影時刻、及び撮影位置取得部５３で取得される撮影位置と一致する時刻及び位置における、温度、湿度、及び風量の情報をインターネット９上から取得する。
【００５０】
撮影時刻取得部５２は、計時部４３で計時された時刻に基づいて、カメラ４２での撮影時の時刻の情報を取得する。撮影位置取得部５３は、ＧＰＳ受信機４４で受信されたＧＰＳ衛星からの電波に基づいて、カメラ４２での撮影時の位置（経度、緯度等）の情報を取得する。
【００５１】
画像記憶部５４は、カメラ４２により撮影した複数の画像の画像データを記憶する。また、画像記憶部５４は、例えばExif形式等の規格で画像データを記憶しており、画像データと、この画像データにかかる画像のメタデータとを関連付けて記憶する。メタデータの項目としては、図４に示すように、撮影時刻、画像形式、画像の縦・横のピクセル数、撮影位置、及びメーカーノート等がある。撮影時刻の項目には、撮影時刻取得部５２が取得した撮影時刻が記憶される。撮影位置の項目には、撮影位置取得部５３が取得した撮影位置が記憶される。また、メーカーノートの項目には、環境情報取得部５１が取得した環境情報が記憶される。画像記憶部５４に記憶されている画像データは、環境情報を含むメタデータと共に、インターネット９を介して別の移動端末４に送信することができる。
【００５２】
表示制御部５５は、タッチパネル４１への出力を制御する。具体的には、ユーザが画像記憶部５４に記憶されている複数の画像データの中から１つを選択するための選択画面７０（図５参照）と、空気調和機２に対して運転指示信号を送信するための指示入力画面８０（図１１、及び図１２（ａ）、（ｂ）参照）とをタッチパネル４１に表示する。選択画面７０では、図５に示すように、画像記憶部５４に記憶されている複数の画像データにかかる画像の複数のサムネイル画像６１が表示される。指示入力画面８０の詳細については、後述する。
【００５３】
選択部５６は、ユーザがタッチパネル４１に表示された複数のサムネイル画像６１のうちの１つをタッチしたときにタッチパネル４１から出力される信号に基づいて、画像記憶部５４に記憶されている複数の画像データの中から１つを選択する。すなわち、画像記憶部５４に記憶されている複数の画像データの中から、ユーザがタッチしたサムネイル画像６１に対応する画像データを選択する。
【００５４】
運転設定決定部５７は、選択部５６により選択された画像データの環境情報から、空気調和機２の運転設定を決定する。ここで、空気調和機２を運転する際には、運転モード、設定温度、設定湿度、及び設定風量を決定する必要がある。運転モードは、暖房モード、冷房モード、及び自動モードの３つのモードのいずれかである。設定温度は、例えば、運転モードが暖房モードである場合には１４℃〜３０℃の間で、冷房モードである場合には１８℃〜３２℃の間で１℃刻みで設定できる。設定湿度は、例えば、４０％、４５％、５０％、５５％、６０％の５段階で設定できる。設定風量は、風量０．５のしずか運転、風量１、風量２、風量３、風量４、風量５及び風量８のターボの７段階で設定できる。運転設定決定部５７は、選択部５６により選択された画像データの環境情報から、運転モード、設定温度、設定湿度、及び設定風量の各運転設定を決定する。運転設定決定部５７で決定された運転設定は、運転指示信号として空気調和機２に送信される。
【００５５】
運転モードは、図６に示すように、室外温度が、１８℃未満の場合は暖房モードに、１８℃以上、且つ、２１℃未満の場合は自動モードに、２１℃以上の場合は冷房モードに決定される。
【００５６】
ここで、図７を参照しつつ、設定温度及び設定湿度についてより詳細に説明する。図７に示すように、設定可能な温度の範囲を温度Ｔ１〜Ｔ２とし、設定可能な湿度の範囲を湿度Ｈ１〜Ｈ２とすると、斜線で示すエリアが空気調和機２に対して運転の設定を行うことができる設定可能エリアである。図７においては、設定可能エリアに、破線で示す１℃刻みの縦線と５％刻みの横線とで正方形のマス目が描かれている。このマス目の縦線と横線との交点に対応する値が設定可能値となる。すなわち、運転設定決定部５７は、画像データの環境情報に含まれている温度及び湿度を設定可能値に変換する必要がある。なお、図７に示すように、設定可能エリア内には、快適ゾーン（図７において黒塗りで示すエリア）が予め定められている。本実施形態では、画像データの環境情報に含まれている温度及び湿度を、快適ゾーンに近い設定可能値に変換する。
【００５７】
次に、画像データの環境情報が、温度Ｔｒ、湿度Ｈｒ、風量Ｆｒである場合の運転設定の決定方法について説明する。設定温度及び設定湿度は、まず、図７において点ｒで示すように、画像データの環境情報の温度Ｔｒ及び湿度Ｈｒをプロットする。次に、図８に示すように、点ｒが位置するマス目の四隅の点ａ、ｂ、ｃ、ｄの４点をピックアップする。続いて、点ａ、ｂ、ｃ、ｄの４点のうち、快適ゾーンから最も遠い点である点ｂを除く点ａ、ｃ、ｄの３点と点ｒまでのそれぞれの距離Ａ、Ｃ、Ｄを測定する。そして、点ａ、ｃ、ｄのうち、点ｒとの距離が最も短い点における設定可能値を、設定温度及び設定湿度に決定する。なお、点ｒとの距離が最も短い点が複数ある場合には、快適ゾーンに最も近い点における設定可能値を、設定温度及び設定湿度に決定する。快適ゾーンまでの距離も同じ場合には、温度が快適ゾーンに近い点における設定可能値を、設定温度及び設定湿度に決定する。なお、快適ゾーン内には温湿度の最適ポイントが存在し、快適ゾーンまでの距離も同じ、且つ、温度の快適ゾーンまでの近さも同じ２点の場合は、温度がこの最適ポイントに近い点における設定可能値を、設定温度及び設定湿度に決定する。
【００５８】
なお、画像データの環境情報の温度Ｔｒ及び湿度Ｈｒをプロットした点が、図７において斜線で示す設定可能エリア外に位置している場合について説明する。図７に示すように、斜線で示される設定可能エリアの周囲には、ドットで示される設定値変換可能エリアが設けられている。設定値変換可能エリアは、温度が設定可能温度範囲±０．５℃の範囲、及び／又は、湿度が設定可能湿度範囲±５％の範囲である。
【００５９】
画像データの環境情報の温度Ｔｒ及び湿度Ｈｒのいずれか一方が設定可能な範囲外であり、図７において点ｒ０で示すように、温度Ｔｒ及び湿度Ｈｒをプロットした点がドットで示される設定値変換可能エリアに位置している場合には、図９（ａ）に示すように、設定可能エリア内のマス目の複数の交点のうち、点ｒ０との距離が最も短い点ｅと２番目に短い点ｆとの２点をピックアップする。次に、点ｅ、点ｆの２点のうち、快適ゾーンに近い方の点ｆにおける設定可能値を、設定温度及び設定湿度に決定する。なお、点ｅ、点ｆの２点の快適ゾーンまでの距離が同じ場合には、点ｒ０との間の距離が短い方の点における設定可能値を、設定温度及び設定湿度に決定する。
【００６０】
画像データの環境情報の温度Ｔｒ及び湿度Ｈｒの両方が設定可能な範囲外であり、図７において点ｒ１で示すように、温度Ｔｒ及び湿度Ｈｒをプロットした点がドットで示される設定値変換可能エリアに位置している場合には、図９（ｂ）に示すように、設定可能エリア内のマス目の複数の交点のうち、点ｒ１との距離が最も短い点ｇにおける設定可能値を、設定温度及び設定湿度に決定する。
【００６１】
なお、画像データの環境情報の温度Ｔｒが設定可能温度範囲±０．５℃の範囲外である場合、及び／又は、湿度Ｈｒが設定可能湿度範囲±５％の範囲外である場合、すなわち、温度Ｔｒ及び湿度Ｈｒをプロットした点が、図７においてドットで示される設定値変換可能エリアの外側に位置している場合には、通信部４５による空気調和機２への温度及び湿度の運転設定の送信は行われない。
【００６２】
設定風量は、図１０に示すように、風量Ｆｒが０以上、且つ、０．５未満の場合にはしずか運転に決定し、０．５以上、且つ、１．５未満の場合には風量１に決定し、１．５以上、且つ、２．５未満の場合は風量２に決定し、２．５以上、且つ、３．５未満の場合は風量３に決定し、３．５以上、且つ、４．５未満の場合は風量４に決定し、４．５以上、且つ、５．５未満の場合は風量５に決定し、５．５以上、且つ、８．５未満の場合はターボに決定する。風量Ｆｒが、８．５以上である場合は、通信部４５による空気調和機２への風量の運転設定の送信は行われない。
【００６３】
ここで、表示制御部５５によりタッチパネル４１に表示される指示入力画面８０について説明する。図１１に示すように、指示入力画面８０には、現在の設定内容と、選択部５６で選択された画像データのサムネイル画像と、運転設定決定部５７で決定された運転モード、設定温度、設定湿度、及び設定風量の各設定内容が表示される。また、指示入力画面８０には、運転指示をキャンセルするためのキャンセルボタン８１と、運転指示を決定するための決定ボタン８２とが表示される。運転モード、設定温度、設定湿度、及び設定風量の各項目の表示領域の横にはチェックボックス８３が表示されており、ユーザは、チェックボックス８３にチェックを入れることで、運転モード、設定温度、設定湿度、及び設定風量のうち、空気調和機２に運転指示信号として送信する設定内容を選択できる。
【００６４】
選択部５６で選択された画像データの環境情報の温度Ｔｒが設定可能温度範囲±０．５℃の範囲外である場合や、湿度Ｈｒが設定可能湿度範囲±５％の範囲外である場合や、風量Ｆｒが−０．５未満又は４．５以上である場合には、図１２（ａ）に示すように、その旨をユーザに報知する第１メッセージ８５が表示される。また、温度Ｔｒが設定可能温度範囲±０．５℃の範囲外である場合、及び／又は、湿度Ｈｒが設定可能湿度範囲±５％の範囲外である場合は、運転モード、設定温度、及び設定湿度のチェックボックス８３は入力不可となる。風量Ｆｒが−０．５未満又は４．５以上である場合には、設定風量のチェックボックス８３は入力不可となる。なお、全てのチェックボックス８３が入力不可であり、空気調和機２にいずれの運転指示信号も送信できない場合には、決定ボタン８２は表示されない。
【００６５】
比較部５８は、選択部５６によって選択された画像データに対応する環境情報の温度及び湿度のパラメータと、空気調和機２から送信された空気調和を行う空間の温度及び湿度のパラメータとを比較する。比較部５８による比較の結果、両者の差が所定範囲以内である場合には、図１２（ｂ）に示すように、その旨をユーザに報知するための第２メッセージ８６が指示入力画面８０に表示される。具体的には、画像データに対応する環境情報の温度と、空気調和を行う空間の温度との差が０．５℃以内である場合、及び画像データに対応する環境情報の湿度と、空気調和を行う空間の湿度との差が５％以内である場合に、指示入力画面８０に第２メッセージ８６を表示する。
【００６６】
次に、図１３を参照しつつ、空気調和機２に運転指示信号を送信する際に移動端末４で行われる処理の手順の一例について説明する。この処理は、移動端末４にインストールされているアプリケーションソフトを起動することによって開始される。
【００６７】
まず、空調空間の温度及び湿度の環境情報、及び室外の温度を取得する（Ｓ１）。具体的には、空気調和機２対して、室内センサ２２ａで検知された温度及び湿度と、室外センサ２３ｂで検知された温度を送信するよう要求する信号を送信する。そして、この信号に応じて空気調和機２から送信された温度及び湿度の環境情報を取得する。
【００６８】
次に、図５に示すような選択画面７０をタッチパネル４１に表示する（Ｓ２）。そして、ユーザにより選択画面７０に表示された複数のサムネイル画像６１のうちの１つが選択されたか否かを判断する（Ｓ３）。ステップＳ３の処理は、サムネイル画像６１の選択が行われたと判断されるまで繰り返し行われる。そして、サムネイル画像６１の選択が行われたと判断された場合には（Ｓ３：ＹＥＳ）、タッチパネル４１から出力される信号に基づいて、画像記憶部５４に記憶された画像データの中から、ユーザがタッチしたサムネイル画像６１に対応する画像データを選択する（Ｓ４）。
【００６９】
続いて、ステップＳ４で選択された画像データに環境情報が含まれているか否かを判断する（Ｓ５）。環境情報が含まれていると判断した場合には（Ｓ５：ＹＥＳ）、後述するステップＳ６の処理を省略してステップＳ７に進む。一方、環境情報が含まれていないと判断した場合には（Ｓ５：ＮＯ）、画像データに含まれている撮影時刻及び撮影位置と一致する時刻及び位置における温度、湿度、及び風量の情報をインターネット９上から取得する（Ｓ６）。
【００７０】
ステップＳ４で選択された画像データの環境情報に基づいて、運転モード、設定温度、設定湿度、及び設定風量の各運転設定を決定する（Ｓ７）。そして、タッチパネル４１に、図１１、及び図１２（ａ）、（ｂ）に示すような指示入力画面８０を表示する。その後、指示入力画面８０においてユーザによりキャンセルボタン８１の操作が行われたか否かを判断する（Ｓ９）。キャンセルボタン８１の操作が行われたと判断した場合には（Ｓ９：ＹＥＳ）、ステップＳ２に戻って、選択画面７０をタッチパネル４１に表示する。
【００７１】
一方、キャンセルボタン８１の操作が行われていないと判断した場合には（Ｓ９：ＮＯ）、指示入力画面８０においてユーザにより決定ボタン８２が操作されたか否かを判断する（Ｓ１０）。決定ボタン８２が操作されていないと判断した場合には（Ｓ１０：ＮＯ）、ステップＳ９に戻って、キャンセルボタン８１の操作が行われたか否かの判断を繰り返す。決定ボタン８２が操作されたと判断した場合には（Ｓ１０：ＹＥＳ）、運転指示信号を空気調和機２に送信する（Ｓ１１）。
【００７２】
＜本実施形態の空調制御システムの特徴＞
以上のように、本実施形態の空調制御システム１は、空気調和機２と、カメラ４２を備えており且つ空気調和機２に情報を送信可能な移動端末４とにより構築されており移動端末４は、カメラ４２で撮影した画像の撮影時の環境情報を空気調和機２に送信し、空気調和機２は、移動端末４から送信された環境情報に基づいて空間の空気調和を行う。したがって、画像の撮影時の環境情報に基づいて空気調和を行うことができる。よって、撮影時に体験した環境を再現できるので、思い描く空調を確実に再現できる。
【００７３】
また、本実施形態の空調制御システム１では、移動端末４は、温度、湿度、及び風量を検知可能なセンサ６を接続可能であり、カメラ４２により画像を撮影する時に、センサ６から温度、湿度、及び風量の環境情報を取得する。したがって、画像を撮影する時にセンサ６により検知された環境情報を取得し、その環境情報を画像記憶部５４に記憶するので、撮影時の環境情報を確実に記憶できる。
【００７４】
さらに、本実施形態の空調制御システム１では、移動端末４は、計時部４３で計時された時刻に基づいて、カメラ４２での撮影時の時刻の情報を取得し、ＧＰＳ受信機４４で受信されたＧＰＳ衛星からの電波に基づいて、カメラ４２での撮影時の位置の情報を取得する。そして、この撮影時刻及び撮影位置に対応する環境情報をインターネット９を介して取得する。したがって、センサ６を接続していない状態で撮影した画像であっても、撮影時刻及び撮影位置の環境特定情報に基づいてインターネット９上から撮影時の環境情報を取得できる。
【００７５】
加えて、本実施形態の空調制御システム１では、移動端末４は、タッチパネル４１からの出力信号に基づいて、画像記憶部５４に記憶された画像データの中の１つを選択する選択部５６を備えている。そして、選択部５６により選択された画像データの環境情報に対応する運転指示信号を空気調和機２に送信する。したがって、画像記憶部５４に記憶されている画像データの中からユーザにより選択された画像データにかかる画像の撮影時の環境を再現できる。
【００７６】
さらに、本実施形態の空調制御システム１では、移動端末４は、画像記憶部５４に記憶されている画像データにかかるサムネイル画像６１を表示する選択画面７０をタッチパネル４１に表示する。タッチパネル４１は、選択画面７０に表示されたサムネイル画像６１の中の１つを決定する指示を受け付け可能である。したがって、ユーザは、選択画面７０に表示された複数のサムネイル画像６１の中から、撮影時の環境の再現を望む画像を容易に選択できる。
【００７７】
また、本実施形態の空調制御システム１では、移動端末４は、選択部５６によって選択された画像データに対応する環境情報の温度Ｔｒが設定可能温度範囲±０．５℃の範囲外である場合や、湿度Ｈｒが設定可能湿度範囲±５％の範囲外である場合や、風量Ｆｒが−０．５未満又は４．５以上である場合には、ユーザにその旨を報知する第１メッセージ８５をタッチパネル４１に表示する。したがって、環境情報のパラメータが、空気調和機２で再現することができない大きさである場合に、その旨をユーザに報知できる。
【００７８】
また、本実施形態の空調制御システム１では、選択部５６によって選択された画像データに対応する環境情報の温度Ｔｒが設定可能温度範囲±０．５℃の範囲外である場合、及び／又は、湿度Ｈｒが設定可能湿度範囲±５％の範囲外である場合に、運転モード、設定温度、及び設定湿度の運転指示信号を空気調和機２に送信しない。また、選択部５６によって選択された画像データに対応する環境情報の風量Ｆｒが、−０．５未満である場合及び４．５以上である場合に、設定風量の運転指示信号を空気調和機２に送信しない。したがって、環境情報のパラメータの大きさが、空気調和機２で再現することができない大きさである場合に、その環境情報に対応する運転指示信号を空気調和機２に送信しないようにできる。
【００７９】
加えて、本実施形態の空調制御システム１では、空気調和機２は、空気調和を行う空間の温度及び湿度を検知する室内センサ２２ａを備えている。移動端末４は、選択部５６によって選択された画像データに対応する環境情報の温度及び湿度のパラメータと、室内センサ２２ａによって検出された温度及び湿度のパラメータとを比較し、両者の差が所定値以内である場合に、ユーザにその旨を報知する第２メッセージ８６を指示入力画面８０に表示する。したがって、空調空間の温度及び湿度と、選択された画像データに対応する環境情報の温度及び湿度との差が小さく、空気調和の必要性が低い場合に、その旨をユーザに報知できる。
【００８０】
さらに、本実施形態の空調制御システム１では、環境情報は、温度、湿度、及び風量に関するパラメータを含んでいる。したがって、撮影時の温度、湿度、及び風量を空調により再現できる。
【００８１】
加えて、本実施形態の空調制御システム１では、移動端末４は、インターネット９を介して、画像記憶部５４に記憶されている画像データを、当該画像データに対応する環境情報と共に別の移動端末４に送信できる。したがって、撮影時の環境を別の移動端末４の所有者と共有できる。
【００８２】
以上、本発明の好適な実施形態について説明したが、本発明は上述の実施の形態に限られるものではなく、特許請求の範囲に記載した限りにおいて、様々な設計変更を行うことが可能なものである。
【００８３】
例えば、上述の実施形態では、空気調和機２と移動端末４とが、家庭内ネットワーク７、外部通信インターフェース８、及びインターネット９により構成される通信ネットワークを介して相互通信可能である場合について説明したが、これには限定されない。すなわち、空気調和機２と移動端末４との通信は、インターネット９に接続されていない家庭内ネットワーク７や、赤外線通信等の通信ネットワーク以外の手段で行われてもよい。また、空気調和機２と移動端末４とは相互通信可能である必要はなく、移動端末４から空気調和機２への情報の送信が可能であればよい。
【００８４】
また、上述の実施形態では、移動端末４は、選択部５６により選択された画像データの環境情報から、運転モード、設定温度、設定湿度、設定風量の各運転設定を決定し、この運転設定を運転指示信号として空気調和機２に送信する場合について説明したが、これには限定されない。すなわち、移動端末４は、選択部５６により選択された画像データの環境情報を運転指示信号として空気調和機２に送信し、空気調和機２で運転設定の決定を行ってもよい。
【００８５】
また、上述の実施形態では、移動端末４は、温度、湿度、及び風量を検知可能なセンサ６を接続可能である場合について説明したが、これには限定されない。すなわち、移動端末４はセンサ６を内蔵していてもよい。さらに、空調制御システム１は、センサ６を備えていなくてもよい。この場合、画像記憶部５４には、画像データにかかる画像の撮影時刻及び撮影位置に基づいてインターネット９を介して取得した環境情報が記憶される。
【００８６】
さらに、上述の実施形態では、移動端末４は、計時部４３で計時された時刻に基づいて、カメラ４２での撮影時の時刻の情報を取得し、且つ、ＧＰＳ受信機４４で受信されたＧＰＳ衛星からの電波に基づいて、カメラ４２での撮影時の位置の情報を取得し、この撮影時刻及び撮影位置に対応する環境情報をインターネット９を介して取得する場合について説明したが、これには限定されない。すなわち、撮影時刻及び撮影位置のいずれか一方に対応する環境情報をインターネット９を介して取得してもよい。また、撮影時刻及び撮影位置は取得しなくてもよい。
【００８７】
また、上述の実施形態では、画像記憶部５４に記憶されている画像データにかかるサムネイル画像６１を表示する選択画面７０をタッチパネル４１に表示する場合について説明したが、これには限定されない。すなわち、サムネイル画像６１に替えて、画像記憶部５４に記憶されている画像データのファイル名や撮影日等を選択画面７０に表示してもよい。
【００８８】
加えて、上述の実施形態では、移動端末４は、選択部５６によって選択された画像データに対応する環境情報のパラメータが所定範囲外である場合に、ユーザにその旨を報知する第１メッセージ８５をタッチパネル４１に表示し、且つ、この環境情報に対応する運転指示信号を空気調和機２に送信しない場合について説明したが、これには限定されない。すなわち、第１メッセージ８５に替えて音声等の別の手段で報知してもよい。また、ユーザへの報知は行われなくてもよい。さらに、画像データに対応する環境情報のパラメータが所定範囲外であっても、運転指示信号を空気調和機２に送信するようにしてもよい。
【００８９】
また、上述の実施形態では、移動端末４は、選択部５６によって選択された画像データに対応する環境情報の温度及び湿度のパラメータと、空調空間の温度及び湿度のパラメータとを比較する比較部５８を有しており、両者の差が所定値以内である場合に、ユーザにその旨を報知する第２メッセージ８６を指示入力画面８０に表示する場合について説明したが、これには限定されない。すなわち、第２メッセージ８６に替えて音声等の別の手段で報知してもよい。また、ユーザへの報知は行われなくてもよい。さらに、比較部５８は、空気調和機２の制御部２１に備えられていてもよい。
【００９０】
さらに、上述の実施形態では、空気調和機２が空調空間の温度及び湿度を検知する室内センサ２２ａを備えている場合について説明したが、移動端末４に接続されたセンサ６により空調空間の温度及び湿度を検知してもよい。
【００９１】
また、上述の実施形態では、環境情報は、温度、湿度、及び風量に関する３つのパラメータを含んでいる場合について説明したが、環境情報は、温度、湿度、及び風量に関する３つのパラメータのうちの少なくとも１つを含んでいればよい。
【００９２】
さらに、上述の実施形態では、移動端末４は、インターネット９を介して、画像記憶部５４に記憶されている画像データを、当該画像データに対応する環境情報と共に別の移動端末４に送信できる場合について説明したが、これには限定されない。すなわち、移動端末４は、赤外線通信などの手段により、画像データを環境情報と共に別の移動端末４に送信可能であってもよい。また、移動端末４は、画像データを環境情報と共に別の移動端末４に送信できなくてもよい。
【符号の説明】
【００９３】
１  空調制御システム
２  空気調和機
４  移動端末
６  センサ（第１センサ）
２１  制御部（制御手段）
２２ａ  室内センサ（第２センサ）
４１  タッチパネル（画像表示手段）
４２  カメラ（撮影手段）
４５  通信部（第１通信手段、第２通信手段）
５１  環境情報取得部（環境情報取得手段）
５２  撮影時刻取得部（環境特定情報取得手段）
５３  撮影位置取得部（環境特定情報取得手段）
５４  画像記憶部（画像記憶手段）
５５  表示制御部（第１報知手段）
５６  選択部（選択手段）
５８  比較部（比較手段）
【図１】
0006459510.tif 000002
【図２】
0006459510.tif 000003
【図３】
0006459510.tif 000004
【図４】
0006459510.tif 000005
【図５】
0006459510.tif 000006
【図６】
0006459510.tif 000007
【図７】
0006459510.tif 000008
【図８】
0006459510.tif 000009
【図９】
0006459510.tif 000010
【図１０】
0006459510.tif 000011
【図１１】
0006459510.tif 000012
【図１２】
0006459510.tif 000013
【図１３】
0006459510.tif 000014